(57)【要約】【課題】アンテナを移動させて広い範囲を治療するマイクロ波治療用アンテナにおいて、可動部を少なくして故障の頻度を少なくし、製品全体のコストを低減し、効率的な医療を可能にするマイクロ波治療器を提供する。【課題を解決する手段】複数のスリットを設けた導波管スリットアンテナに、スリットを開閉するシャッターを載置し、シャッターは導波管スリットアンテナに沿って移動できるようにし、シャッターを移動させてスリットを開閉し、照射部位を変えることで、広い範囲にマイクロ波を照射できるようにした。【選択図】図１
2004008444.tif 000002
【特許請求の範囲】
【請求項１】
複数のスリット（Ｓ）を設けた導波管スリットアンテナ（１）にスリット（Ｓ）を開閉するシャッター（５）を載置し、
シャッター（５）は導波管スリットアンテナ（１）に沿って移動するようにし、
シャッター（５）を移動させてスリット（Ｓ）を順次開閉し、
広い領域にマイクロ波を照射できるようにしたマイクロ波治療用広域照射アンテナ。
【発明の詳細な説明】
【０００１】
【産業上の利用分野】
本発明は広い領域にマイクロ波を照射するマイクロ波治療器用のアンテナに関するものである。
マイクロ波治療器は、アンテナからマイクロ波を輻射して生体を加温し、血流増加等を目的とする温熱治療器で、通常は図４に示すような、比較的狭い範囲の加温に用いる丸型アンテナＭや、これよりも少し広い範囲を加温する幅広のワイド型アンテナＷ、図２の２１に示すような、アンテナを移動させてより広い領域を加温する広域照射アンテナなどが使用されている。本発明は、この広域照射アンテナの改良に関するものである。
【０００２】
【従来の技術】
広域照射アンテナは、通常、図２（Ａ）に示すように、ベッド２４と組み合わせて使用し、腰部のような広い範囲を加温するのに用いる。この技術は実開昭５６−１７３３４９や実公昭６１−４３４９７等に開示されている。図２（Ａ）は実公昭６１−４３４９７で示されている実施例で、図の２１はマイクロ波の照射部、２２は電源コード、２３は商用電源、２４はベッド、２８は治療を受ける人である。照射部２１は、図２（Ｂ）に示すように、マグネトロン用電源２５、マグネトロン２６、アンテナ２７を内蔵している。
マグネトロン２６で発生したマイクロ波は、アンテナ２７からベッド２４に向けて輻射され、ベッド上の患者２８を加温治療する。アンテナ２７がある位置に固定しておれば、腰部の一部しか加温できないので、照射部２１を、図２（Ａ）の矢印で示した領域Ｐで往復運動させ、腰の広い範囲を加温するようにしている。
【０００３】
実開昭５６−１７３３４９は、マイクロ波発生部とアンテナを分離し、両者を伝送線で接続し、マイクロ波発生部を別途固定し、照射部を使用領域で往復移動させるものである。図面上、図２（Ａ）と同様であるが、図の２２が伝送線になる。
【０００４】
一方、スリットアンテナを用いたマイクロ波治療器の技術は、実公平３−４１７２２等に開示されている。これは、図３に示すように、複数のスリットを設けたスリットアンテナに可動戸を設け、スリットの一部は常に開けておき、残りのスリットを可動戸で開閉し、スリットアンテナ全体からマイクロ波を照射したり、スリットアンテナの一部から狭い範囲にマイクロ波を照射したりするようにしたものである。ただし実公平３−４１７２２の技術は、図４に示すワイド型アンテナＷに関するもので、スリットを閉じると、図４の丸型アンテナＭのように、狭い範囲に照射するようにするものである。
【０００５】
【発明が解決しようとする課題】
実公昭６１−４３４９７で、照射部２１を図２（Ａ）のように領域Ｐで往復運動をさせると、商用電源２３は固定であるため、電源コード２２にストレスがかかり、断線等の故障の原因になる。また、照射部２１はマグネトロン用電源２５、マグネトロン２６、アンテナ２７等を内蔵しているので、重量が大きいため、往復運動をさせるのに大きなエネルギーを必要とし、大掛りな設計を必要とし、使用している間に故障が発生しやすい。
実開昭５６−１７３３４９では、マイクロ波発生部が固定され、アンテナを往復運動させるので、伝送線に繰返しストレスがかかり、伝送線の焼損その他、故障の原因となる。また、重たいアンテナを往復運動させるのに大きなエネルギーを必要とし、大掛りな設計を必要とし、使用している間に故障が発生しやすい。
本発明はこれらの課題を解決することを目的とする。
【０００６】
【課題を解決するための手段】
これらの課題を解決するために、本発明では、複数のスリットＳを設けた導波管スリットアンテナ１にスリットＳを開閉するシャッター５を載置し、
シャッター５は導波管スリットアンテナ１に沿って移動するようにし、
シャッター５を移動させてスリットＳを順次開閉し、マイクロ波輻射部位を移動させ、広い領域にマイクロ波を照射できるようにした。
【０００７】
【作用】
本発明では、商用電源、マグネトロン用電源、マグネトロン、アンテナは固定し、シャッター５のみを導波管スリットアンテナ１に沿って往復移動させてスリットＳを順次開閉し、マイクロ波を照射する位置を移動させる。このため、従来のように、電源コードや伝送線にストレスがかかることはない。また、軽いシャッター５だけを動かせばよいので、小さなエネルギーですみ、故障発生頻度を低減できる。
【０００８】
【実施例】
図１に本発明の実施例を示す。図１（Ａ）は本発明の組立て図、（Ｂ）は全体の斜視図であり、図の１は導波管スリットアンテナ、２はマグネトロン、３はシャッター移動用モータ、４はシャッター移動用クランク、５はシャッター、６はシャッター移動用コマ、Ｓはスリット、Ｋはシャッターの孔、Ｒはレフレクタである。
【０００９】
導波管スリットアンテナ１にはスリットＳを２個設け、マグネトロン２を直結している。スリットアンテナ１のサイズ、スリットＳの位置とサイズ、マグネトロン２の取り付け位置等は電磁波工学で解析されているので、その結果を利用すればよい。
シャッター５には２つの孔Ｋを設け、孔の間隔はスリットＳの間隔よりも少し大きくしている。また、シャッター５には、導波管スリットアンテナ１に沿って移動できるように、シャッター移動用こま６を設けている。さらに、シャッター５には、スリットＳから輻射されるマイクロ波の輻射パタ−ンを整えるレフレクタＲを設けている。
組立ては、導波管スリットアンテナ１にマグネトロン２とモータ３を固定し、シャッター５を載置し、２つのスリットＳを２つの孔Ｋで挟むように配置した後、シャッター５とクランク４とモータ３とを接続しておこなう。
図１（Ｂ）はこのようにして組立てた照射部の全体斜視図である。
【００１０】
図１（Ｂ）で、モータ３を回転させると、クランク４が作動し、シャッター５が往復移動をする。このとき、シャッター５の一方の孔Ｋとスリットが重なると、このスリットからマイクロ波が輻射されるが、他方のスリットと孔は重ならないため、このスリットは閉じてマイクロ波は輻射しない。
シャッター５がさらに移動し、先ほど閉じていたスリットと孔が重なり、このスリットからマイクロ波が輻射され、他方のスリットは閉じてマイクロ波を輻射しない。
このようにして、モータ３でシャッター５を往復運動させると、両方のスリットを交互に開閉し、交互にマイクロ波を輻射し、広い範囲を加温することができる。
スリットＳの間隔と孔Ｋの間隔は少しだけ異なるため、シャッター５を少し往復移動させるだけで、交互にマイクロ波を輻射することができる。
【００１１】
従来は、実開昭５６−１７３３４９では電源コードに、実公昭６１−４３４９７では伝送線にそれぞれ繰返し負荷がかかり断線等の故障が生じるという問題があった。また、重たい照射部を往復移動させていたので、この機構部の設計は大掛りになり、このためコストアップになり、故障が多く、エネルギー消費が大きいという問題があった。
これに対して本発明は、マイクロ波発生部やその電源、アンテナ等を固定し、コマ６を付けた軽いシャッター５だけを動かすので、機構部はコンパクトに設計でき、安価で故障の少ない、エネルギー消費の少ない製品にすることができた。
【００１２】
スリットＳはある間隔で設けているが、スリットから出る電磁波の輻射パターンはある程度広がりをもっており、スリットから少し離れたベッド面の近傍ではほぼ均一な強度になるので、ベッド上の患者の、例えば腰部の広い範囲を、均一に加温することができる。
以上の実施例では２個のスリットを用いた例を示したが、スリットを３個以上にしてもよい。スリットの数を多くすると、より広い範囲を加温できるようになる。
また、シャッターの孔の間隔はスリットＳの間隔よりも大きくした例を示したが、少し小さくてもよい。
シャッターの孔は２個設けた例を示しているが、１個でも３個以上でもよい。
【００１３】
スリットを複数にし、シャッターで１個又は複数個のスリットを同時に選択してマイクロ波を輻射するようにし、選択するスリットを順次切り変えて広い範囲に輻射するようにしてもよい。
シャッターの移動時間、あるスリットを選択している（マイクロ波を輻射する）時間、どのスリットをどのような順番で選択するか、いくつのスリットを開くか又は閉じるか、等のマイクロ波輻射条件は任意に決定できる。要するに、輻射位置を変えて広い範囲を加温できればよい。
【００１４】
シャッター５の移動手段にモータ３とクランク４を組み合わせる例を示したが、これもどのような手段を用いてもよい。
シャッターのサイズと形状も問わない。
シャッター５にはレフレクタＲを使用しているが、これはスリットＳから出たマイクロ波の輻射パターンを整えるものであり、レフレクタの形状は問わない。マイクロ波の輻射パターンが問題にならなければ、レフレクタを使用しなくてもよい。
スリットアンテナ１とマグネトロン２は直結しているが、伝送線で結んでもよい。
通常、スリットＳのサイズはアンテナの理論によって設計されるが、スリットＳと孔Ｋとが重なったとき、アンテナとしての孔の大きさになればよい。例えばスリットＳのサイズを大きくし、孔Ｋをアンテナのサイズにしてもよい。
以上の説明では、ベッドと組み合わせて腰部の加温治療を行う例を述べたが、ベッドと組み合わせずに、通常のマイクロ波治療器のアンテナのように、単独で使用してもよい。
【００１５】
【発明の効果】
電源、マイクロ波発生部、アンテナ等を固定にしたので、電源コードや伝送線に繰返しストレスはかからなくなり、これらが破損するという問題は解決された。また、小さくて軽いシャッターだけを動かすようにしたので、構成は簡単になり、小さなエネルギーで駆動できるので、装置の価格、メンテナンス費用、ランニングコストを低減できる。しかも、装置はコンパクトに設計できるので、装置全体のコストを低減でき、故障も減らすことができる。また、故障が少なく、必要なときにはいつでも使用できるので、効率の良い医療が可能になった。
【図面の簡単な説明】
【図１】本発明の実施例であり、（Ａ）は組立て図、（Ｂ）はアンテナ全体の斜視図である。
【図２】従来の広域照射アンテナの例で、（Ａ）はでベッド上の患者を治療している様子を示し、（Ｂ）は照射部の構成図である。
【図３】従来のスリットアンテナの例である。
【図４】従来のマイクロ波治療器の例である。
【符号の説明】
１・・・導波管スリットアンテナ　　　　　２・・・マグネトロン
３・・・シャッター移動用モータ　　　　　４・・・シャッター移動用クランク
５・・・シャッター　　　　　　　　　　　６・・・シャッター移動用コマ
Ｓ・・・アンテナのスリット　　　　　　Ｋ・・・シャッターの孔
Ｒ・・・レフレクタ
２１・・・照射部　　　　　　　　　　　　２２・・・電源コード
２３・・・商用電源　　　　　　　　　　　２４・・・ベッド
２５・・・マグネトロン用電源　　　　　　２６・・・マグネトロン
２７・・・アンテナ　　　　　　　　　　　２８・・・患者
Ｍ・・・丸型アンテナ　　　　　　　　　Ｗ・・・ワイド型アンテナ
Ｐ・・・アンテナの移動範囲
【図１】
2004008444.tif 000003
【図２】
2004008444.tif 000004
【図３】
2004008444.tif 000005
【図４】
2004008444.tif 000006